(57)【要約】      （修正有）【課題】設置スペースを小さくすることができるとともに、水の運搬頻度を減少させることができる自動灌水装置を提供する。【解決手段】自動灌水装置１を、水が貯留される給水タンク部２と、該給水タンク部２と連結される格子状の格子枠部３と、給水タンク部２及び格子枠部３に配置される植栽プランタ４に給水タンク部２から水を供給する水供給部５とを備える構成とする。水供給部５を、水タンク２１ａ、２１ｂ内の水を送り出す給水ポンプ５１と、水タンク２１ａ、２１ｂから植栽プランタ４に水を流通させる送りホース部５２と、植栽プランタ４から排出された水を水タンク２１ａ、２１ｂまで流通させる戻りホース部５３とで構成する。【選択図】図１
0003170208.tif 000002
【実用新案登録請求の範囲】
【請求項１】
水が貯留される給水タンク部と、前記給水タンク部と連結される格子状の格子枠部と、前記給水タンク部又は／及び前記格子枠部に配置される植栽プランタに前記給水タンク部から前記水を供給する水供給部と、を備えた自動灌水装置であって、
前記格子枠部は、前記給水タンク部から垂直上方向に延びる一対の縦枠部と、前記縦枠部を連結する横枠部と、一対の前記縦枠部と前記横枠部とに囲まれた部分に格子状に形成された格子部と、を有し、
前記水供給部は、前記給水タンク部内の前記水を送り出す給水ポンプと、前記給水タンク部から前記植栽プランタに前記水を流通させる送りホース部と、前記植栽プランタから排出された前記水を前記給水タンク部まで流通させる戻りホース部と、
を備えていることを特徴とする自動灌水装置。
【請求項２】
前記戻りホース部が、前記植栽プランタから前記給水タンク部に前記水を送給させる第一の戻りホース部のみで構成される部分と、前記第一の戻りホース部と上側に配置された前記植栽プランタから下側に配置された前記植栽プランタに前記水を送給させる第二の戻りホース部とで構成される部分との、少なくとも一方で構成されていることを特徴とする請求項１記載の自動灌水装置。
【請求項３】
前記給水タンク部又は／及び前記格子枠部には、前記植栽プランタが配置され、
前記植栽プランタの底部側には、塵芥を取り除く濾過手段が設けられ、
前記植栽プランタに設けられた水抜き孔と前記戻りホース部とが連通して形成され、
前記濾過手段で濾過された前記水が前記水抜き孔から排出されることを特徴とする請求項１又は２記載の自動灌水装置。
【請求項４】
前記水供給部が、前記水を間欠送給する間欠送給装置を備えていることを特徴とする請求項１、２又は３記載の自動灌水装置。
【考案の詳細な説明】
【技術分野】
【０００１】
本考案は、設置スペースを小さくすることができるとともに、水の運搬頻度を減少させることができる自動灌水装置に関するものである。
【背景技術】
【０００２】
従来、連結式植物栽培用容器として、特許文献１に記載されたものがあった。これによると、複数の容器本体を連結する丸棒状をなす支柱の中央に傾斜部を設け、容器本体が備える支柱受口に嵌合させることにより容器本体が連結されていた。そして、容器本体の底部には、貫通孔が形成されるとともに、受皿が取り付けられ、受皿の底部に形成された水抜孔にホースが取り付けられ、ホースを介して下段に配置された容器本体に水を供給していた。さらに、最下段に配置された容器本体からホースを介して吐出された水をポンプによって最上段に配置された容器本体に注入していた。
【先行技術文献】
【特許文献】
【０００３】
【特許文献１】特開２００４−８１７８号公報
【考案の概要】
【考案が解決しようとする課題】
【０００４】
しかし、上記の連結式植物栽培用容器では、支柱の中央に傾斜部が設けられているので、傾斜角度分だけ支柱が斜めになるため設置スペースが大きくなるとともに、水を貯留するタンクを有していないので水やりに際して、水場から必要に応じてその都度水を運ばなければならない、という問題があった。
【０００５】
本考案は、上記事情に鑑み、設置スペースを小さくすることができるとともに、水の運搬頻度を減少させることができる自動灌水装置を提供することを目的とする。
【課題を解決するための手段】
【０００６】
請求項１記載の考案の自動灌水装置では、格子枠部は、給水タンク部から垂直上方向に延びる一対の縦枠部と、縦枠部を連結する横枠部と、一対の縦枠部と横枠部とに囲まれた部分に格子状に形成された格子部と、を有し、水供給部は、給水タンク部内の水を送り出す給水ポンプと、給水タンク部から植栽プランタに水を流通させる送りホース部と、植栽プランタから排出された水を給水タンク部まで流通させる戻りホース部と、を備える構成としている。
【０００７】
格子枠部を、水が貯留される給水タンク部から垂直上方向に延びる一対の縦枠部と、縦枠部を連結する横枠部と、一対の縦枠部と横枠部とに囲まれた部分に格子状に形成された格子部と、で構成することで、自動灌水装置の平面視における面積を小さくできるので、設置スペースを小さくすることができる。
【０００８】
また、水供給部を、給水タンク部内の水を供給させる給水ポンプと、給水タンク部から植栽プランタに水を送給させる送りホース部と、植栽プランタから排出された水を給水タンク部まで送給させる戻りホース部と、を備える構成とすることで、水が貯留された給水タンク部から、植栽プランタを経て、給水タンク部まで水を循環させることができ、水の運搬頻度を減少させることができる。
【０００９】
請求項２記載の考案の自動灌水装置では、戻りホース部を、植栽プランタから給水タンク部に水を送給させる第一の戻りホース部のみで構成される部分と、第一の戻りホース部と上側に配置された植栽プランタから下側に配置された植栽プランタに水を送給させる第二の戻りホース部とで構成される部分との、少なくとも一方で構成するようにしている。
【００１０】
これにより、植栽プランタに水を送給させる戻りホース部を、並列に配置したい時には第一の戻りホース部を適用し、直列に配置したい時には第一の戻りホース部及び第二の戻りホース部を適用する、といった植栽プランタの配置状態に応じた使い分けをすることができる。
【００１１】
請求項３記載の考案の自動灌水装置では、給水タンク部又は／及び格子枠部には、植栽プランタが配置され、植栽プランタの底部側には、塵芥を取り除く濾過手段が設けられ、植栽プランタに設けられた水抜き孔と戻りホース部とが連通して形成され、濾過手段で濾過された水が水抜き孔から排出される構成としている。
【００１２】
これにより、植栽プランタの底部側で濾過手段により塵芥が取り除かれるので、水供給部に別途フィルタ等の部材を取り付けることなく、送りホース部及び戻りホース部のつまりを防止することができる。
【００１３】
請求項４記載の考案の自動灌水装置のように、水供給部に、水が間欠送給される間欠送給装置を備えるようにすれば、水の供給が過剰となることがなく、植物の根腐れを防止することができる。
【考案の効果】
【００１４】
本考案の自動灌水装置では、設置スペースを小さくすることができるとともに、水の運搬頻度を減少させることができる。
【図面の簡単な説明】
【００１５】
【図１】本考案の一実施形態の自動灌水装置の斜視図である。
【図２】図１において植栽プランタと水供給部を外した状態の斜視図である。
【図３】図１の植栽プランタ４ｅと水供給部５との関係を示す部分拡大図である。
【図４】図１の植栽プランタ４ａ、４ｃの濾過手段の断面図である。
【図５】図１の植栽プランタ４ｄ、４ｅの濾過手段の断面図である。
【図６】図１の植栽プランタ４ｂの濾過手段の断面図である。
【考案を実施するための形態】
【００１６】
本考案の自動灌水装置の一実施形態について図面に基づいて説明する。以下の説明では、床面Ｆ側を下とし、その反対側を上をとする。
【００１７】
自動灌水装置１は、図１に示すように、水が貯留される給水タンク部２と、給水タンク部２と連結される格子状の格子枠部３と、給水タンク部２及び格子枠部３に配置される植栽プランタ４に給水タンク部２から水を供給する水供給部５と、を備えている。
【００１８】
給水タンク部２は、図１、２に示すように、金属製で両端が閉塞した円筒状に形成された二つの水タンク２１ａ、２１ｂと、水タンク２１ａ、２１ｂ間を連通して水が流通する連通管２２と、水タンク２１ａ、２１ｂが載置される一対のフレーム２３と、備えている。
【００１９】
水タンク２１ａには、後述する給水ポンプ５１が挿入される大貫通孔２１１ａが設けられている。水タンク２１ｂには、後述する戻りホース部５３が挿入される小貫通孔２１１ｂが二つ設けられている。
【００２０】
フレーム２３、２３は、金属製で長尺の角筒パイプで形成され、水タンク２１ａ、２１ｂの長手方向に直交する方向に沿って水タンク２１ａ、２１ｂの両端部の下面側に配置されている。各フレーム２３の下面には、キャスター２３１が装着されている。フレーム２３の上面の長手方向における中央部には、後述する縦枠部３１が挿入される円筒状のボス部２３２が配設されている。
【００２１】
水タンク２１ａ、２１ｂの上面側には、木製で長尺平板状に形成され、植栽プランタ４が配置される台座部２４が四枚配設されている。
【００２２】
格子枠部３は金属製で、図１、２に示すように、給水タンク部２から垂直上方向に延びる一対の縦枠部３１、３１と、縦枠部３１、３１を連結する横枠部３２と、一対の縦枠部３１、３１と横枠部３２とに囲まれた部分に格子状に形成された格子部３３と、を有している。一対の縦枠部３１、３１と、横枠部３２とを連結させた形状は、正面視において、略逆Ｕ字状に形成されている。
【００２３】
縦枠部３１の下端部が、ボス部２３２に挿入され図示しないボルトで固定され、給水タンク部２と格子枠部３とが連結されている。
【００２４】
水供給部５は、図１、３に示すように、水タンク２１ａ、２１ｂ内の水を送り出す給水ポンプ５１と、水タンク２１ａ、２１ｂから植栽プランタ４に水を流通させる送りホース部５２と、植栽プランタ４から排出された水を水タンク２１ａ、２１ｂまで流通させる戻りホース部５３と、を備えている。
【００２５】
戻りホース部５３は、植栽プランタ４から水タンク２１ａ、２１ｂに水を送給させる第一の戻りホース部５３ａのみで構成される部分と、第一の戻りホース部５３ａと上側に配置された植栽プランタ４から下側に配置された植栽プランタ４に水を送給させる第二の戻りホース部５３ｂとで構成される部分とを有している。
【００２６】
水供給部５には、水が間欠送給される間欠送給装置として、給水ポンプ５１に接続されて定期的に通電するタイマーを有し電源の入り切りを行なうオンオフスイッチ８と、給水ポンプ５１の放出管５１１の上部に配設され水の流通封止の切り替えを行なう開閉弁部材９と、が配設されている。
【００２７】
植栽プランタ４は、図１に示すように、格子枠部３に、上から、植栽プランタ４ａ、植栽プランタ４ｂ、植栽プランタ４ｃ、の順に配置されているとともに、台座部２４に、植栽プランタ４ｄ、植栽プランタ４ｅ、が配置されている。
【００２８】
以下の各植栽プランタ４の構成の説明においては、対応する構成要素については同じ符号を用いることとする。
【００２９】
植栽プランタ４ａ、植栽プランタ４ｂ、植栽プランタ４ｃは、合成樹脂で形成され、植栽プランタ４ｄ、植栽プランタ４ｅは、木材で形成されている。
【００３０】
植栽プランタ４ａ、植栽プランタ４ｃ、植栽プランタ４ｄ、植栽プランタ４ｅの底部４１には、図４、５に示すように、第一の戻りホース部５３ａ又は第二の戻りホース部５３ｂが挿入される水抜き孔４２が設けられている。
【００３１】
植栽プランタ４ｂの周壁部４３には、図６に示すように、第一の戻りホース部５３ａ又は第二の戻りホース部５３ｂが挿入される水抜き孔４２が設けられている。
【００３２】
植栽プランタ４ａ、植栽プランタ４ｃは、図４に示すように、各水抜き孔４２と第二の戻りホース部５３ｂとが連通して形成されている。
【００３３】
植栽プランタ４ｄ、植栽プランタ４ｅは、図５に示すように、各水抜き孔４２と第一の戻りホース部５３ａとが連通して形成されている。
【００３４】
植栽プランタ４ｂは、図６に示すように、水抜き孔４２と第二の戻りホース部５３ｂとが連通して形成されている。
【００３５】
各植栽プランタ４の底部４１側には、図４、５、６に示すように、塵芥を取り除く濾過手段６が設けられている。濾過手段６は、植栽プランタ４の底部４１の上側に配置される上げ底６１と、上げ底６１の上側に配置される水苔６２と、水苔６２の上側に配置される赤玉土６３と、で構成されている。
【００３６】
格子部３３には、植栽プランタ４ａ、植栽プランタ４ｂ、植栽プランタ４ｃがそれぞれ載置される受け皿７が、受け皿ガイド１０を介して着脱可能に三か所配設されている。受け皿７は、円盤状の底部７２と底部７２の外周縁部から上方にのびる周壁部７３を有している。
【００３７】
植栽プランタ４ａ、植栽プランタ４ｃが載置される受け皿７は、図４に示すように、底部７２の中央部に第二の戻りホース部５３ｂが挿通される挿通孔７１が形成されている。第二の戻りホース部５３ｂは挿通孔７１に挿通され、植栽プランタ４内に配置された上げ底６１内まで挿入されている。
【００３８】
給水ポンプ５１で汲み上げられた水は、開閉弁部材９で二つの送りホース部５２に分岐されている。
【００３９】
一方の送りホース部５２は、給水ポンプ５１で送給された水が植栽プランタ４ａに植栽プランタ４ａの上方開口部から流れ込むように配設されている。
【００４０】
他方の送りホース部５２は、給水ポンプ５１で送給された水が植栽プランタ４ｅに植栽プランタ４ｅの上方開口部から流れ込むように配設されている。
【００４１】
植栽プランタ４ａから排出された水を水タンク２１ａ、２１ｂまで流通させる戻りホース部５３として、植栽プランタ４ａから排出された水が植栽プランタ４ｂに植栽プランタ４ｂの上方開口部から流れ込むように第二の戻りホース部５３ｂが配設され、植栽プランタ４ｂから排出された水が植栽プランタ４ｃに植栽プランタ４ｃの上方開口部から流れ込むように第二の戻りホース部５３ｂが配設され、植栽プランタ４ｃからから排出された水が植栽プランタ４ｄに植栽プランタ４ｄの上方開口部から流れ込むように第二の戻りホース部５３ｂが配設され、植栽プランタ４ｄから排出された水が水タンク２１ｂに流れ込むように第一の戻りホース部５３ａが配設されている。
【００４２】
すなわち、植栽プランタ４ａから排出された水を水タンク２１ａ、２１ｂまで流通させる戻りホース部５３は、第一の戻りホース部５３ａと上側に配置された植栽プランタ４から下側に配置された植栽プランタ４に水を送給させる第二の戻りホース部５３ｂとで構成される部分を有している。
【００４３】
植栽プランタ４ｅから排出された水を水タンク２１ａ、２１ｂまで流通させる戻りホース部５３として、植栽プランタ４ｅからから排出された水が水タンク２１ｂに流れ込むように第一の戻りホース部５３ａが配設されている。
【００４４】
すなわち、植栽プランタ４ｅから排出された水を水タンク２１ａ、２１ｂまで流通させる戻りホース部５３は、植栽プランタ４から水タンク２１ａ、２１ｂに水を送給させる第一の戻りホース部５３ａのみで構成される部分を有している。
【００４５】
自動灌水装置１の作用を説明する。
【００４６】
給水ポンプ５１に接続されたオンオフスイッチ８により通電され給水ポンプ５１の作動が行われる。
【００４７】
給水ポンプ５１で汲み上げられた水タンク２１ａ、２１ｂ内の水は、開閉弁部材９で水の流量が調整され分岐した二つの送りホース部５２に送られる。
【００４８】
一方の送りホース部５２では、給水ポンプ５１で送給された水が植栽プランタ４ａに植栽プランタ４ａの上方開口部から流れ込む。
【００４９】
他方の送りホース部５２では、給水ポンプ５１で送給された水が植栽プランタ４ｅに植栽プランタ４ｅの上方開口部から流れ込む。
【００５０】
植栽プランタ４ａから排出された水を水タンク２１ａ、２１ｂまで流通させる戻りホース部５３では、植栽プランタ４ａから排出された水が第二の戻りホース部５３ｂを通じて植栽プランタ４ｂに植栽プランタ４ｂの上方開口部から流れ込み、植栽プランタ４ｂから排出された水が第二の戻りホース部５３ｂを通じて植栽プランタ４ｃに植栽プランタ４ｃの上方開口部から流れ込み、植栽プランタ４ｃからから排出された水が第二の戻りホース部５３ｂを通じて植栽プランタ４ｄに植栽プランタ４ｄの上方開口部から流れ込み、植栽プランタ４ｄから排出された水が第一の戻りホース部５３ａを通じて水タンク２１ｂに流れ込む。
【００５１】
植栽プランタ４ａ、植栽プランタ４ｂ、植栽プランタ４ｃ、植栽プランタ４ｄに流れ込んだ水がそれぞれ排出されるまでの間に、植栽プランタ４ａ、植栽プランタ４ｂ、植栽プランタ４ｃ、植栽プランタ４ｄの各底部４１側に設けられた濾過手段６により、水に含まれる塵芥は取り除かれる。
【００５２】
植栽プランタ４ｅから排出された水を水タンク２１ａ、２１ｂまで流通させる戻りホース部５３では、植栽プランタ４ｅからから排出された水が第一の戻りホース部５３ａを通じて水タンク２１ｂに流れ込む。
【００５３】
植栽プランタ４ｅに流れ込んだ水が排出されるまでの間に、植栽プランタ４ｅの底部４１側に設けられた濾過手段６により、水に含まれる塵芥は取り除かれる。
【００５４】
一定時間後、オンオフスイッチ８のタイマーにより通電が終了すると給水ポンプ５１の作動が停止して、それによって水の送給が停止する。
【００５５】
以上に説明したように、自動灌水装置１では、格子枠部３は、給水タンク部２から垂直上方向に延びる一対の縦枠部３１と、縦枠部３１を連結する横枠部３２と、を有し、水供給部５は、水タンク２１ａ、２１ｂ内の水を送り出す給水ポンプ５１と、水タンク２１ａ、２１ｂから植栽プランタ４に水を流通させる送りホース部５２と、植栽プランタ４から排出された水を水タンク２１ａ、２１ｂまで流通させる戻りホース部５３と、を備える構成としている。
【００５６】
格子枠部３を、水が貯留される給水タンク部２から垂直上方向に延びる一対の縦枠部３１と、縦枠部３１を連結する横枠部３２と、一対の縦枠部３１、３１と横枠部３２とに囲まれた部分に格子状に形成された格子部３３と、で構成することで、自動灌水装置１の平面視における面積を小さくできるので、設置スペースを小さくすることができる。
【００５７】
また、水供給部５を、水タンク２１ａ、２１ｂ内の水を供給させる給水ポンプ５１と、水タンク２１ａ、２１ｂから植栽プランタ４に水を送給させる送りホース部５２と、植栽プランタ４から排出された水を水タンク２１ａ、２１ｂまで送給させる戻りホース部５３と、を備える構成とすることで、水が貯留された水タンク２１ａ、２１ｂから、植栽プランタ４を経て、水タンク２１ａ、２１ｂまで水を循環させることができ、水の運搬頻度を減少させることができる。
【００５８】
また、戻りホース部５３を、植栽プランタ４から水タンク２１ａ、２１ｂに水を送給させる第一の戻りホース部５３ａのみで構成される部分と、第一の戻りホース部５３ａと上側に配置された植栽プランタ４から下側に配置された植栽プランタ４に水を送給させる第二の戻りホース部５３ｂとで構成される部分とで構成している。
【００５９】
これにより、植栽プランタ４に水を送給させる戻りホース部５３を、並列に配置したい時には第一の戻りホース部５３ａを適用し、直列に配置したい時には第一の戻りホース部５３ａ及び第二の戻りホース部５３ｂを適用する、といった植栽プランタ４の配置状態に応じた使い分けをすることができる。
【００６０】
また、給水タンク部２及び格子枠部３には、植栽プランタ４が配置され、植栽プランタ４の底部４１側には、塵芥を取り除く濾過手段６が設けられ、植栽プランタ４に設けられた水抜き孔４２と戻りホース部５３とが連通して形成され、濾過手段６で濾過された水が水抜き孔４２から排出される構成としている。
【００６１】
これにより、植栽プランタ４の底部４１側で濾過手段６により塵芥が取り除かれるので、水供給部５に別途フィルタ等の部材と取り付けることなく、送りホース部５２及び戻りホース部５３のつまりを防止することができる。
【００６２】
また、水供給部５に、定期的に通電するタイマーを有し電源の入り切りを行なうオンオフスイッチ８と、水の流通封止の切り替えを行なう開閉弁部材９と、を配設して水が間欠送給される間欠送給装置を備えるようにすれば、水の供給が過剰となることがなく、植物の根腐れを防止することができる。
【００６３】
また、水が貯留される給水タンク部２が下側に配置され、重心が自動灌水装置１の下側の位置となるので、設置状態を安定させることができる。
【００６４】
また、植栽プランタ４で吸水しきれなかった水を循環させるので水の有効利用が可能となる。
【００６５】
なお、台座部２４及び受け皿７に植栽プランタ４を載置しているが、台座部２４、受け皿７のいずれか一方に植栽プランタ４を載置することもできる。
【００６６】
また、水タンク２１ａ、２１ｂの二つに分けて構成しているが、一つの水タンクとしてもよいし、三つ以上の水タンクで構成してもよい。
【００６７】
また、台座部２４は、四枚の板で構成しているが、植栽プランタ４が載置できるのであれば、枚数は適宜変更することができる。
【００６８】
また、格子枠部３は、略逆Ｕ字状に形成されているが、Ｈ字状に形成したり、Ｍ字状にしたりと、他の形状にすることもできる。
【００６９】
また、水抜き孔４２と第一の戻りホース部５３ａとを連通させるか、水抜き孔４２と第二の戻りホース部５３ｂとを連通させるかは、植栽プランタ４の配置状況に応じて適宜変更することができる。
【００７０】
また、植栽プランタ４が載置される受け皿７に挿通孔７１を設けて、第一の戻りホース部５３ａを挿通させるか、第二の戻りホース部５３ｂを挿通させるかは、植栽プランタ４の配置状況に応じて適宜変更することができる。
【符号の説明】
【００７１】
１、１Ａ  自動灌水装置
２、２Ａ  給水タンク部
２１ａ、２１ｂ  水タンク
３  格子枠部
３１  縦枠部
３２  横枠部
３３  格子部
４、４ａ、４ｂ、４ｃ、４ｄ、４ｅ  植栽プランタ
４１  底部
４２  水抜き孔
５  水供給部
５１  給水ポンプ
５２  送りホース部
５３  戻りホース部
５３ａ  第一の戻りホース部
５３ｂ  第二の戻りホース部
６  濾過手段
８  オンオフスイッチ
９  開閉弁部材
【図１】
0003170208.tif 000003
【図２】
0003170208.tif 000004
【図３】
0003170208.tif 000005
【図４】
0003170208.tif 000006
【図５】
0003170208.tif 000007
【図６】
0003170208.tif 000008